(57)【要約】【課題】良い姿勢を保つことができ、良い姿勢を保つ癖をつけることができる椅子を提供する。【解決手段】座部３０と、該座部３０を支持する脚部２０と、腰支持部４０とを有する椅子であって、座部３０の奥行きｄ１、腰支持部４０の高さｈ２及び座部３０の高さｈ１がそれぞれ、使用者の身長の１１〜１９％、１５〜２３％、２４〜３２％の寸法に設定されている。【選択図】図１
2013240470.tif 000002
【特許請求の範囲】
【請求項１】
座部と、該座部を支持する脚部と、腰支持部とを有する椅子であって、
前記座部の奥行きｄ１、前記腰支持部の高さｈ２及び前記座部の高さｈ１がそれぞれ、使用者の身長の１１〜１９％、１５〜２３％、２４〜３２％の寸法に設定されていることを特徴とする椅子。
【請求項２】
請求項１記載の椅子において、
前記座部の奥行きｄ１、前記腰支持部の高さｈ２及び前記座部の高さｈ１の寸法をそれぞれ調節可能な奥行き調節機構、腰支持部高さ調節機構及び座部高さ調節機構を備えていることを特徴とする椅子。
【発明の詳細な説明】
【技術分野】
【０００１】
本発明は、椅子に関するものである。
【背景技術】
【０００２】
従来、学校、家庭、職場等の環境において人が座る椅子は、必ずしも人間工学的に最適な寸法になっているわけではない。座部の高さ、座部の奥行き、背もたれの高さ等の寸法が固定されている椅子を使用する場合、使用者は、各々が座りやすいと感じる座り方で座るが、それが「良い姿勢」で座っていない場合がある。
【０００３】
一般に、立位において、理想的な「良い姿勢」にある時、体（骨格、筋肉、内臓）に対しての負担が一番軽減される。「良い姿勢」は、図５に示すように、体の中心線と、生理的弯曲に基づく。中心線とは、人体の前から見て、かかとの間、臍、鎖骨の間、鼻を直線で結んだ線、かつ人体の横から見て、くるぶし、膝の中央、股関節、３番腰椎、肩の中心、耳の穴を直線で結んだ線で表される。
【０００４】
「良い姿勢」とは、中心線が重力線（地面から垂直な線）にある状態、すなわち、左右が対称で、前後の体重バランスが整っていること、そして、もうひとつは、横から見た脊柱に正常な生理的弯曲がある状態のことである。なぜ、姿勢が良いと健康かというと、この状態が自己治癒力、免疫力などさまざまな機能が最高でいられるからである。人は、「良い姿勢」である時が一番若く、美しく見えるだけでなく、一番健康でもいられるのである。なぜならば、この姿勢バランスが乱れると、背骨がゆがむことで神経を圧迫し、自律神経系（内臓系）や運動神経系にも悪い影響を及ぼし、また、体を支えている筋肉に必要以上の負担がかかることで肩こりや腰痛を起こしたりするのである。だから、姿勢が良いということは、健康にもおおいに関係しているのである。
【０００５】
このような理想的な「良い姿勢」にある生理的弯曲が著しく妨げられるのは、椅子に座っている時の姿勢であると考えられる。すなわち、椅子に座っているときの姿勢は、「良い姿勢」を保つための重要な要素である。
【０００６】
姿勢が悪くなることによって起こり得る障害は、ａ）理想的なＳ字弯曲の喪失、ｂ）ａ）に伴い、腰椎の過前弯（猫背）により、内臓の圧迫による内臓への負担、ｃ）ａ），ｂ）に伴い頭部の前方移動による首〜肩の筋肉への負担の増加、神経の圧迫によるしびれなどである。
【０００７】
図６に示すように、腰椎は、５つの骨（第１腰椎Ｌ１〜第５腰椎Ｌ５）が積み重なっているので可動する。可動範囲は、靱帯によって制限される。図６（ａ）に示すように、腰椎がＬ１〜Ｌ５が縦に（直立に）重なった状態（図６（ａ））では、重りＷの重さは骨盤Ｐ（星印）にほぼ１００％伝わる（矢印Ａ１）。しかし、図６（ｂ）に示すように、腰椎がＬ１〜Ｌ５が弯曲していることによって、重りＷの重さは分散され（矢印Ａ２，Ａ３）、骨盤Ｐにかかる負担がかなり小さくなる。そして、骨盤Ｐの中心となる仙骨は、仙骨底と呼ばれる、腰椎と接する部分が，水平から約２５度の傾斜角度（基底角）になっているのが理想的である。基底角の傾斜角度が２５度より小さくなればなるほど、腰椎の弯曲がなくなり、腰にかかる負担が大きくなる。
【０００８】
また、図７（ａ）に示すように、頭部の位置が中心線より前になると、頭部は、重力をより受ける。それにより、首回りの筋肉の負担が大きくなる。首の骨の弯曲を妨げると共に、神経の圧迫が起こる。肩こりなどの原因となる。
【０００９】
しかしながら、椅子に座る時の座位においても、上体を図７（ｂ）に示す「良い姿勢」に近づけることによって、体（上体の骨格、筋肉、内臓）への負担を軽減することができる。
【先行技術文献】
【特許文献】
【００１０】
【特許文献１】特許第３１４６３４３号公報
【発明の概要】
【発明が解決しようとする課題】
【００１１】
そこで、本発明は、良い姿勢を保つことができ、良い姿勢を保つ癖をつけることができる椅子を提供することを目的とする。
【課題を解決するための手段】
【００１２】
上記課題を解決するためになされた請求項１に記載の発明は、座部３０と、該座部３０を支持する脚部２０と、腰支持部４０とを有する椅子であって、前記座部３０の奥行きｄ１、前記腰支持部４０の高さｈ２及び前記座部３０の高さｈ１がそれぞれ、使用者の身長の１１〜１９％、１５〜２３％、２４〜３２％の寸法の寸法に設定されていることを特徴とする。
【００１３】
上記課題を解決するためになされた請求項２に記載の発明は、請求項１記載の椅子において、前記座部３０の奥行きｄ１、前記腰支持部４０の高さｈ２及び前記座部の高さｈ１の寸法をそれぞれ調節可能な奥行き調節機構、腰支持部高さ調節機構及び座部高さ調節機構を備えていることを特徴とする。
【００１４】
なお、上述の課題を解決するための手段の説明における参照符号は、以下の、発明を実施するための形態の説明における構成要素の参照符号に対応しているが、これらは、特許請求の範囲の解釈を限定するものではない。
【発明の効果】
【００１５】
請求項１に記載の発明によれば、座部の奥行きｄ１、腰支持部の高さｈ２、座部の高さｈ１がそれぞれ、良い姿勢を保つのにバランスされた寸法、すなわち、使用者の身長の１１〜１９％、１５〜２３％及び２４〜３２％の寸法に設定されているので、良い姿勢を保つことができ、良い姿勢を保つ癖をつけることができる。
【００１６】
請求項２に記載の発明によれば、座部の奥行きｄ１、腰支持部の高さｈ２及び座部の高さｈ１の寸法をそれぞれ調節可能な奥行き調節機構、腰支持部高さ調節機構及び座部高さ調節機構を備えているので、身長が異なる複数の使用者が、同じ椅子１０を各部の寸法を調節して使用することができる。
【図面の簡単な説明】
【００１７】
【図１】本発明の第１の実施形態に係る椅子の外観を示す斜視図である。
【図２】図１の椅子の側面図の正面図である。
【図３】本発明の第２の実施形態に係る椅子の外観を示す斜視図である。
【図４】図３の椅子の側面図の正面図である。
【図５】良い姿勢の例を示す説明図である。
【図６】腰椎の弯曲についての説明図であり、（ａ）は異常時、（ｂ）は正常時を示す図である。
【図７】生理的弯曲についての説明図であり、（ａ）は異常時、（ｂ）は正常時を示す図である。
【発明を実施するための形態】
【００１８】
以下、図面を参照しながら本発明の椅子の一実施形態について説明する。本発明の椅子は、例えばテーブルや机と共に使用されるものであり、要約すると、上述の「良い姿勢」を保つために、椅子に座った時に使用者の股関節より膝が低い位置になる高さと極端に小さい奥行きを有する座部と、腰椎の前弯の頂点にほぼ位置する高さを有する腰支持部とを備えて構成される椅子である。
【００１９】
（第１の実施形態）図１は、本発明の第１の実施形態に係る椅子の斜視図、図２は、図１に示す椅子の側面図である。図１及び２において、椅子１０は、脚部２０、座部３０及び腰支持部４０を備えて構成される。
【００２０】
脚部２０は、円柱状基部２１の下側から５方向に放射状に延出した接地脚２２と、円柱状基部２１の上部から垂直に延出した棒状支持部２３と、この棒状支持部２３に外挿されるパイプ状可動部２４とからなる。パイプ状可動部の一方の端部は、座部３０の底面に固定されている。
【００２１】
座部３０は、適宜な幅と、奥行きｄ１と、接地面からの高さｈ１とを有する水平な座面を備えている。
【００２２】
腰支持部４０は、座部３０の後部から座部３０の座面に対して傾斜角度θで立設され、座部３０からの高さｈ２を有する支持部４１と、支持部４１の先端付近の座部３０に対向する面側に取り付けられたクッション５０とからなる。腰支持部４０のクッション５０は、使用者の生理的弯曲における腰椎の前弯のほぼ頂点にあたる部分に接する位置の支持部４１に取り付けられている。
【００２３】
上記構成の椅子１０の座部３０の高さｈ１、座部３０の奥行きｄ１、腰支持部４０の高さｈ２及び傾斜角度θは、使用者が座った時に上述の「良い姿勢」を保つことができる寸法に設定されている。すなわち、椅子１０は、奥行きｄ１を極端に浅くし、使用者が座位にある時、膝が股関節の位置より下がり（または下がりやすく）、腰椎の後弯を防ぐための腰当て部があるものである。
【００２４】
上記の奥行きｄ１、高さｈ１及びｈ２は、標準値で計算すると、使用者の身長を基準として表１に示す寸法に設定される。なお、標準値は、ｄ１が身長の１４．５％、ｈ１が身長の２８．０％、ｈ２が身長の１９．０％であるが、表１ではｃｍ単位に丸めている。
【００２５】
【表１】
2013240470.tif 000003
【００２６】
また、上記の傾斜角度θは、表２に示す寸法に設定される。
【００２７】
【表２】
2013240470.tif 000004
【００２８】
例えば、身長１５０ｃｍの使用者に対して、座部３０の奥行きｄ１は２２ｃｍ、座部の高さｈ１は４２ｃｍ、腰支持部４０の高さｈ２は２９ｃｍに設定される。ちなみに、ＪＩＳ規格で決められた学校用椅子の寸法では、標準身長１５０ｃｍに対して、座部の奥行きは３６ｃｍ、座部の高さは３８ｃｍ、背もたれの高さは３１ｃｍ〜３３ｃｍに設定されており、ＪＩＳ規格と比較すると、本発明の椅子１０は、座部奥行きが極端に小さく、座部高さが若干大きく、上記背もたれより低い腰支持部を有していることが分かる。また、腰支持部４０の傾斜角度θは８４°〜８９°程度とされる。傾斜角度θが、例えば８４°に設定されると、腰支持部４０の先端側は、座部３０の座面後端より３．１ｃｍ（身長１６０ｃｍの場合）だけ前傾することになる。
【００２９】
このような寸法とされた椅子１０に身長１５０ｃｍの使用者が座ると、使用者の尻だけが座部３０の座面に載せられ、膝が股関節より下がり、腰椎の前弯の頂点付近の腰がクッション５０を介して支持部４１で支えられ、腰より上の部分が自由な状態となる。
【００３０】
このような状態では、座位においても、上体が上述の「良い姿勢」に近づけられるので、体（上体の骨格、筋肉、内臓）への負担を軽減することができる。従来の一般的な形態の椅子に座ると、座骨が座面の前の方へ行きやすく、それによって腰の前弯が著しく妨げられるが、本実施形態によれば、５個の腰椎が緩やかに前弯することになり、それにより、腰にかかる負担が軽減される。また、首については、腰の前弯ができることによって自然と頭の位置が後ろに引かれ、体の中心に近付くことによって首を支える筋肉の負担が軽減される。すなわち、首こり、肩こりを軽減することが期待できる。
【００３１】
また、本発明の椅子によって「良い姿勢」を保つことにより、「良い姿勢」を保つ癖をつけることができる。それによって立った時でも自然と「良い姿勢」を保ちやすくできる。また、座っている時の体の重心が体の中心に近い状態にあるため、立つ時に立ちやすい。また、弯曲を保ったままの位置から立ち上がるので、曲がった腰を伸ばす必要がないため、次の動作（歩行など）にスムーズに移行できる。また、本発明の椅子の効果を最大にするためには、テーブルや机に手を置いた時の肘の傾斜角度が９０度になることが望ましい。
【００３２】
以上説明した本発明の椅子は、以下のような特徴を有する。
【００３３】
（座部３０の奥行きの特徴）
（１）座面の奥行きｄ１を使用者の座骨が充分に載る程度に浅くすることによって、座骨位置が前方へ行かないようにしている。
（２）座面の奥行きｄ１を浅くすることによって、膝の位置を股関節の位置より低くし易くする。
【００３４】
（腰支持部４０の特徴）
（１）腰支持部４０の高さｈ２を腰椎の前弯の位置で止めることにより、少し後ろに寄りかかったときでも胸部の後弯を邪魔することがない。
（２）腰支持部４０における支持部４１の上部の位置を、座面奥から垂直に立ち上げた位置より前方に傾斜させることにより、腰部が前弯し易くなる。その際、クッション５０は、腰部で押されてつぶされるので、ほとんど無視することができる。
【００３５】
（座部３０の座面の高さｈ１の特徴）
（１）膝の位置を股関節の位置より低くすることによって、骨盤（仙骨）を理想の位置に近づけることができ、腰椎の前弯をつくりやすくする。
（２）膝の位置を股関節の位置より低くすることによって、股関節の傾斜角度が大きくなり、股関節の負担、股関節周りの血管への圧迫も軽減することができる。
【００３６】
以上のように、各部の特徴を併せ持つことによって、本発明の椅子は、全体として、良い姿勢を保つことができるバランスになっている。
【００３７】
（第２の実施形態）次に、本発明の第２の実施形態について説明する。第２の実施形態では、座部３０の奥行きｄ１、腰支持部４０の高さｈ２、座部３０の高さｈ１の寸法をそれぞれ調節可能な、奥行き調節機構、腰支持部高さ調節機構及び座部高さ調節機構を備えていることを特徴とする。
【００３８】
図３は、本発明の第２の実施形態に係る椅子の斜視図、図４は、図３に示す椅子の側面図である。図３及び４において、椅子１０は、脚部２０、座部３０及び腰支持部４０を備えて構成される。
【００３９】
脚部２０は、円柱状基部２１の下側から５方向に放射状に延出した接地脚２２と、円柱状基部２１の上部から垂直に延出した棒状支持部２３と、この棒状支持部２３に外挿されるパイプ状可動部２４とからなる。パイプ状可動部２４の一方の端部は、座部３０の底面に固定されている。パイプ状可動部２４は、ねじ２５により接地面から座部３０までの高さが調節可能に支持部２３に固定される。棒状支持部２３及びパイプ状可動部２４は、座部高さ調節機構を構成する。
【００４０】
座部３０は、適宜な幅と、奥行きｄ１と、接地面からの高さｈ１とを有する水平な座面を備えている。座部３０の後部側面には、後述する腰支持部４０の棒状可動部４２が遊嵌される嵌合孔３０ａが形成されている。
【００４１】
腰支持部４０は、支持部４１と、支持部４１から水平方向に延出する棒状可動部４２と、可動支持部４３と、可動支持部４３の底面から延出する棒状可動部４４と、可動支持部４３に固定されたクッション５０とからなる。支持部４１の上面には、棒状可動部４４は遊嵌される嵌合孔４１ａが形成されている。棒状可動部４２は、座部３０の嵌合孔３０ａに遊嵌され、ねじ３２により座部３０の奥行きｄ１を調節可能に固定される。また、棒状可動部４４は、支持部４１の嵌合孔４１ａに遊嵌され、ねじ４５により腰支持部４０の高さｈ２を調節可能に固定される。棒状可動部４２及び嵌合孔３０ａは奥行き調節機構を構成し、棒状可動部４４及び嵌合孔４１ａは腰支持部高さ調節機構を構成する。
【００４２】
上記構成の椅子１０は、奥行き調節機構、腰支持部高さ調節機構及び座部高さ調節機構によって座部の奥行きｄ１、前記腰支持部の高さｈ２、前記座部の高さｈ１の寸法を、それぞれ、使用者の身長に合わせて表１に示す寸法に調節することができる。したがって、身長が異なる複数の使用者が、同じ椅子１０を各部の寸法を調節して使用することができる。
【００４３】
次に、上述の第１及び第２の実施形態の椅子１０における座部３０の奥行きｄ１、腰支持部４０の高さｈ２、座部３０の高さｈ１の寸法の変更例について説明する。奥行きｄ１、高さｈ２及び高さｈ１は、標準的寸法は表１に従うが、以下に示す範囲で変更可能である。
【００４４】
奥行きｄ１は、好ましくは身長の１１〜１９％、より好ましくは身長の１３〜１７％の範囲の寸法に変更可能である。また、高さｈ２は、好ましくは身長の１５〜２３％、より好ましくは身長の１７〜２１％の範囲の寸法に変更可能である。また、高さｈ１は、好ましくは身長の２４〜３２％、より好ましくは身長の２６〜３０％の範囲の寸法に変更可能である。
【００４５】
傾斜角度θは、好ましくは８４〜９５°、より好ましくは８５〜９０°、さらに好ましくは８６〜８９°に変更可能である。
【００４６】
以上の通り、本発明の一実施形態について説明したが、本発明はこれに限らず、種々の変形、応用が可能である。かかる変形、応用によってもなお本発明の構成を具備する限り、勿論、本発明の範疇に含まれるものである。
【００４７】
例えば、脚部２０は、５本の接地脚２を有する構成となっているが、これに限らず、種々の形状とすることができる。
【００４８】
また、クッション５０を省いた構成や、座部３０の座面にクッションを取り付けた構成とすることもできる。
【００４９】
また、本発明の思想は、脚部を省いて座椅子に適用することができる。座椅子とした場合の座部の奥行きｄ１、腰支持部の高さｈ２、腰支持部４０の傾斜角度θは、使用者の身長を基準として、例えば、表３及び表４に示す寸法に設定される。なお、表３におけるｈ１′は、座部３０の厚みによる接地面から座面までの高さを示す。
【００５０】
【表３】
2013240470.tif 000005
【００５１】
【表４】
2013240470.tif 000006
【００５２】
また、座椅子とした場合の座部３０の奥行きｄ１、腰支持部４０の高さｈ２は、標準的寸法は表１に従うが、以下に示す範囲で変更可能である。奥行きｄ１は、好ましくは身長の９〜１４％、より好ましくは身長の１０〜１３％の範囲の寸法に変更可能である。また、高さｈ２は、好ましくは身長の１５〜２２％、より好ましくは身長の１６〜２１％の範囲の寸法に変更可能である。
【００５３】
傾斜角度θは、好ましくは８４〜９５°、より好ましくは８５〜９０°、さらに好ましくは８６〜８９°に変更可能である。
【符号の説明】
【００５４】
１０  椅子
２０  脚部
３０  座部
４０  腰支持部
【図１】
2013240470.tif 000007
【図２】
2013240470.tif 000008
【図３】
2013240470.tif 000009
【図４】
2013240470.tif 000010
【図５】
2013240470.tif 000011
【図６】
2013240470.tif 000012
【図７】
2013240470.tif 000013